(57)【要約】【課題】本発明は、観客に向けて図形や文字を確実に表現することができる花火打揚方法、花火打揚プログラム及び花火打揚システムを提供することを目的とする。【解決する手段】本発明に係る花火打揚方法の代表的な構成は、発光しながら上昇する星２０を入れた複数の花火打揚筒２を所定の位置に配置し、複数の花火打揚筒２から打ち揚げられて発光した複数の星全体で、文字又は図形を夜空に描くタイミングで各星２０を打ち揚げることを特徴とする。【選択図】図１
2008116110.tif 000002
【特許請求の範囲】
【請求項１】
発光しながら上昇する星を入れた複数の花火打揚筒を所定の位置に配置し、
前記複数の花火打揚筒から打揚げられて発光した前記複数の星全体で、文字又は図形を夜空に描くタイミングで各星を打揚げることを特徴とする花火打揚方法。
【請求項２】
前記複数の星の火薬の厚さを調整して前記各星の発光するタイミングを制御し、前記複数の星全体で、夜空に描く文字又は図形を一斉に浮かび上がらせる又は一斉に消すことを特徴とする請求項１に記載の花火打揚方法。
【請求項３】
小さく爆発して長く発光する玉を入れた複数の花火打揚筒を所定の位置に配置し、
前記玉に接続された導火線の長さを調整して前記玉が爆発するタイミングを制御し、
前記複数の花火打揚筒から打揚げられた前記複数の玉全体が、文字又は図形を夜空に描くタイミングで爆発、発光するように各玉を打揚げることを特徴とする花火打揚方法。
【請求項４】
前記複数の花火打揚筒を垂直方向に対して傾けて配置し、
前記複数の星又は玉を斜め方向に打揚げることを特徴とする請求項１〜３のいずれか１項に記載の花火打揚方法。
【請求項５】
請求項１〜４のいずれかに記載の花火打揚方法を実行するための花火打揚プログラム。
【請求項６】
発光しながら上昇する星又は小さく爆発して長く発光する玉を入れ、所定の位置に配置した複数の花火打揚筒と、
前記複数の花火打揚筒から打揚げられて発光した前記複数の星又は小さく爆発して長く発光した前記複数の玉の爆発全体で、夜空に文字又は図形を表示するタイミングで前記各星又は玉を打揚げる打揚制御装置と、を有することを特徴とする花火打揚システム。
【発明の詳細な説明】
【技術分野】
【０００１】
本発明は、花火で文字や図形を描く花火打揚方法、花火打揚プログラム及び花火打揚システムに関するものである。
【背景技術】
【０００２】
従来、特許文献１に記載されているように、型物花火のように星の配列に方向性を設けて、星が配列された形に広がると、空中でマンガのキャラクター等の図形や文字を表現する花火があった。
【０００３】
【特許文献１】特開平１０−４７８９４号公報
【発明の開示】
【発明が解決しようとする課題】
【０００４】
しかし、特許文献１に記載された花火では、打上げ花火の星が空中で広がる図形や文字を垂直方向に制御できるが、水平方向には制御できず、観客に向けて図形や文字を確実に表現することは困難であった。
【０００５】
そこで本発明は、観客に向けて図形や文字を確実に表現することができる花火打揚方法、花火打揚プログラム及び花火打揚システムを提供することを目的とする。
【課題を解決するための手段】
【０００６】
上記課題を解決するために本発明に係る花火打揚方法の代表的な構成は、発光しながら上昇する星を入れた複数の花火打揚筒を所定の位置に配置し、前記複数の花火打揚筒から打揚げられて発光した前記複数の星全体で、文字又は図形を夜空に描くタイミングで各星を打揚げることを特徴とする。
【０００７】
上記課題を解決するために本発明に係る花火打揚プログラムは、上記花火打揚方法を実行することを特徴とする。
【０００８】
上記課題を解決するために本発明に係る花火打揚システムは、発光しながら上昇する星又は小さく爆発して長く発光する玉を入れ、所定の位置に配置した複数の花火打揚筒と、前記複数の花火打揚筒から打揚げられて発光した前記複数の星又は小さく爆発して長く発光した前記複数の玉全体で、夜空に文字又は図形を表示するタイミングで前記各星又は玉を打揚げる打揚制御装置と、を有することを特徴とする。
【発明の効果】
【０００９】
本発明によれば、観客に向けて図形や文字を確実に表現することができる。
【発明を実施するための最良の形態】
【００１０】
[第一実施形態]
本発明に係る花火打揚方法、花火打揚プログラム及び花火打揚システムの第一実施形態について、図を用いて説明する。
【００１１】
（花火打揚システム１の構成）
図１は本実施形態に係る花火打揚システムの構成図である。図１に示すように、花火打揚システム１は、花火打揚筒２、電気導火線３、コンピュータ４、打揚制御装置５、ケーブル６、分配器７、端末８を有する。
【００１２】
花火打揚筒２は、発光しながら上昇する星２０を挿入され、所定の位置に複数配置される。ここで、所定の位置とは、表現する図形又は文字によって決定されるが、ここでは、１６本の花火打揚筒２を１つの枠で囲み、この枠を観客からみて左から右に一定間隔で一列に並ぶ位置とする。
【００１３】
電気導火線３は花火打揚筒２に接続される。電気導火線３は、先端に発火用の火薬を有しており、花火打揚筒２内の底には打揚用火薬が設けられている。電気導火線３に電流が流れると、電気導火線３の先端に設けた火薬が発火し、花火打揚筒２内の打揚用火薬が爆発し、星２０が打揚げられる。星２０は、発光する火薬で形成されており、着火してすぐに火薬の燃焼による発光を伴いながら上昇する。
【００１４】
コンピュータ４は、花火打揚方法を実行するための花火打揚プログラムを作成するプログラム作成手段である。このプログラムは、各花火打揚筒２に入れた星２０の打揚のタイミングを決めている。このプログラムで決定される各花火打揚筒２に入れた星２０の打揚のタイミングによって、夜空に描かれる文字又は図形が決まる。
【００１５】
打揚制御装置５は、コンピュータ４により作成されたプログラムに基づいて、プログラム通りに指定された電気導火線３に、指定された秒数（タイミング）で電流を流す。電流は、打揚制御装置５からケーブル６、分配器７、端末８を介して指定の電気導火線３へ流れる。これにより、複数の花火打揚筒２から打揚げられて発光した複数の星２０全体で、夜空に文字又は図形を表示するタイミングで各星２０を打揚げる。
【００１６】
分配器７は多くの端末８を結線するためのジョイントである。端末８は、ケーブル６の先端に設けられており、＋端子及び−端子を１６個（１６回路）有し、各＋−端子に電気導火線３が接続されている。これにより、１つの端末８で１６回点火できる。なお、１６回以上点火する場合は端末８を増やせばよい。
【００１７】
（花火打揚方法）
ここで花火打揚方法について説明する。図２は打揚げられた花火の図である。発光しながら上昇する星２０を入れた複数の花火打揚筒２を所定の位置に配置し、複数の花火打揚筒２から打揚げられて発光した複数の星２０全体で、文字又は図形を夜空に描くタイミングで各星２０を打揚げる。
【００１８】
例えば、図２に示す三角形の図形を夜空に描く場合には、まず、星２０を入れた１６本の花火打揚筒２を囲んだ枠を、１５個用意し、観客からみて左から右に１０〜１５ｍ間隔で一列に並べる。ここで説明のため、一列に並べた花火打揚筒２（枠）を左から第１〜第１５の花火打揚筒２という。
【００１９】
また、コンピュータ４を用いて、表１に示すタイミングで各花火打揚筒２から星２０を打揚げるプログラムを作成しておく。そして、プログラムに基づいて、打揚制御装置５によりケーブル６、分配器７、端末８を介して、中央の枠の１つの花火打揚筒２（第８の花火打揚筒２）に接続された電気導火線３に電流を流す。これにより、中央の花火打揚筒２（第８の花火打揚筒２）から星２０が打揚がる。この初めの打揚げを基準として、同様にして、表１に示すタイミングで第７、第９・・・の花火打揚筒２から星２０を打揚げる。
【００２０】
ここで、星２０には発光しながら上昇するものを用いるため、このような打揚げにより、図２（ａ）に示すように、夜空に三角形の２辺が中央から描かれていき、図２（ｂ）に示すように、１．４秒後には三角形全体が描かれる。三角形を描いた星２０は、図２（ｃ）に示すように、そのまま三角形の形状を保ちつつ夜空を上昇し、図２（ｄ）に示すように、上空で打揚げた順番に消える。
【００２１】
また、ハートの図形を夜空に描く場合には、図２の三角形の図形を描くために用いた１０〜１５ｍ間隔で並べた第１〜第１５の花火打揚筒２をそのまま使用できる。
【００２２】
そして、プログラムに基づいて、表１に示すタイミングで各花火打揚筒２から星２０を打揚げ、夜空にハートの図形を描くことができる。
【００２３】
【表１】
2008116110.tif 000003
【００２４】
なお、三角形、ハートの図形について説明したが、夜空に描く図形はかかる形状に限定されるものではなく、マンガのキャラクター等であってもよい。また、イケブン等の社名や、デジタルスターマイン（登録商標）等の文字を描いてもよい。
【００２５】
（星２０の火薬の厚さを調整して、各星の発光するタイミングを制御する方法）
なお、図３に示すように、複数の星２０の火薬の厚さを調整して、各星の発光するタイミングを制御し、複数の星２０全体で、夜空に描く文字又は図形を一斉に浮かび上がらせる又は一斉に消すこともできる。
【００２６】
具体的には、図３（ｂ）に示すように、星の中心から、発光しない火薬、発光する火薬、発光しない火薬の層を形成し、点火して光らない部分２０ａ、光る部分２０ｂ、光らない部分２０ｃを作る。
【００２７】
そして、図３（ａ）に示すように、光らない部分２０ａの厚さを調整することで、光らない部分２０ａの燃焼時間を調整し、星２０を打揚げてから光る部分２０ｂが燃焼を開始して星２０が発光するタイミングを調整することができる。
【００２８】
図３（ａ）では、最初の星２０を打揚げてから１．４秒後には全ての星２０が打揚げられた状態になり、１．７秒後に全ての星２０が一斉に発光して三角形を表現し、１．８４秒間発光した状態で三角形が上昇し、最初に打揚げた星２０が頂点に達するぐらいで一斉に全ての星２０の光らない部分２０ｃが燃焼を開始し、発光していた三角形が一斉に消える。
【００２９】
このように、発光するタイミングを制御し、図形や文字を一斉に発光し、一斉に消すことで、より鮮明に図形や文字を表現することができる。
【００３０】
なお、図３では、一斉に発光し、一斉に消える場合について説明したが、発光、消えるタイミングは、様々なタイミングとすることができ、様々な演出を行うことができる。
【００３１】
（効果）
このような花火打揚方法、花火打揚プログラム及び花火打揚システム１によれば、観客に向けて図形や文字を確実に表現することができる。すなわち、上記花火打揚方法、花火打揚プログラム及び花火打揚システム１によれば、従来の型物花火のように空中で花火玉の向きが意図した方向にならず（水平方向に回転して）、観客に向けて文字や図形を表現できない、ということがない。
【００３２】
[第二実施形態]
次に本発明に係る花火打揚方法、花火打揚プログラム及び花火打揚システムの第二実施形態について図を用いて説明する。図４は本実施形態に係る花火打揚システム及び花火の図である。上記第一実施形態と説明の重複する部分については、同一の符号を付して説明を省略する。
【００３３】
図４に示すように、本実施形態の花火打揚方法、花火打揚プログラム及び花火打揚システムは、上記第一実施形態の複数の花火打揚筒２を垂直方向に対して傾けて配置し、複数の星２０を斜め方向に打揚げるようにしたものである。
【００３４】
本実施形態では、１６本の花火打揚筒２を囲んだ枠に変えて、５本の花火打揚筒２を１列として、７列の花火打揚筒２（第１〜第７の花火打揚筒２）を１０度〜１３度の間隔で放射状に傾けて配置した枠を使用する。
【００３５】
図４に示す逆三角形や竜巻の図形を夜空に描く場合には、放射状に配置した第１〜第７の花火打揚筒２を使用して、表２に示すタイミングで各花火打揚筒２から星２０を打揚げる。打揚げられた星２０は、垂直方向のみではなく、斜め方向へ放射状に広がりながら打揚がり、夜空に逆三角形や竜巻の図形を描くことができる。
【００３６】
【表２】
2008116110.tif 000004
【００３７】
（効果）
このような花火打揚方法、花火打揚プログラム及び花火打揚システムによれば、上記第一実施形態と同様に、観客に向けて図形や文字を確実に表現することができる。
【００３８】
さらに、１つの枠内に配置した複数の花火打揚筒２で文字や図形を夜空に描くことができ、打揚の準備が容易である。また、設置スペースが限られた場所でも打揚げることができる。
【００３９】
[第三実施形態]
次に本発明に係る花火打揚方法、花火打揚プログラム及び花火打揚システムの第三実施形態について図を用いて説明する。図５は本実施形態に係る玉３０を用いて文字又は図形を夜空に描く花火打揚方法を説明する図である。上記第一実施形態と説明の重複する部分については、同一の符号を付して説明を省略する。
【００４０】
図５に示すように、小さく爆発して長く発光する玉３０を用いて文字又は図形を夜空に描くこともできる。すなわち、上記第一実施形態の星２０に変えて玉３０を用い、小さく爆発して長く発光する玉３０を入れた複数の花火打揚筒を所定の位置に配置し、玉３０に接続された導火線３１の長さを調整して玉３０が爆発するタイミングを制御し、複数の花火打揚筒２から打揚げられた複数の玉３０の爆発全体が、文字又は図形を夜空に描くタイミングで爆発、発光するように各玉３０を打揚げる。
【００４１】
図５（ｂ）に示すように、玉３０は、中心に設けた割火薬３２を星２０で覆い、その上から玉皮３３を貼り付け、導火線３１の中心から玉皮３３の外へ導火線３１が延びてなる。
【００４２】
図５（ａ）に示すように、導火線３１の長さＬを調整することで、玉３０が爆発するまでの時間を調整し、玉３０の内部の星２０が発光するタイミングを調整することができる。
【００４３】
図５（ａ）では、最初の玉３０を打揚げてから１．４秒後には全ての玉３０が打揚げられた状態になり、１．７秒後に全ての玉３０が一斉に爆発して各玉３０の内部にあった星２０で三角形を表現する。発光した星２０は全て同じ星を使っており、全ての玉３０が同時に爆発したことで星２０は一斉に消え、発光していた三角形が一斉に消える。
【００４４】
このように、発光するタイミングを制御し、図形や文字を一斉に発光し、一斉に消すことで、より鮮明に図形や文字を表現することができる。さらに、星の場合は上昇しながら図形や文字を描くが、玉は爆発した位置で発光するため、描かれた図形や文字は同じ位置に留まり、さらに鮮明に図形や文字を表現することができる。
【００４５】
なお、上記第二実施形態と同様に、前記複数の花火打揚筒を垂直方向に対して傾けて配置し、前記複数の玉３０を斜め方向に打揚げることもできる。
【図面の簡単な説明】
【００４６】
【図１】第一実施形態に係る花火打揚システムの構成図である。
【図２】三角形の花火の図である。
【図３】図形や文字を表現するタイミングの調整方法を説明する図である。
【図４】第二実施形態に係る花火打揚システムの構成図である。
【図５】第三実施形態に係る玉を用いて文字又は図形を夜空に描く花火打揚方法を説明する図である。
【符号の説明】
【００４７】
１    …花火打揚システム
２    …花火打揚筒
３    …電気導火線
４    …コンピュータ
５    …打揚制御装置
６    …ケーブル
７    …分配器
８    …端末
２０  …星
【図１】
2008116110.tif 000005
【図２】
2008116110.tif 000006
【図３】
2008116110.tif 000007
【図４】
2008116110.tif 000008
【図５】
2008116110.tif 000009